(57)【要約】【課題】オペレータの目の位置が低く、しかも画像表示部との距離が離れている場合でも表示面に表示される文字を容易に視認することができるようにする。【解決手段】上面において横臥した状態から起立した状態になるように回動可能に取り付けられた画像表示部６０、画像表示部６０の回動角を検出するロータリーエンコーダ８２と、画像表示部６０の表示面に画像の形成に関連する文字を表示すると共に、画像表示部６０が起立する方向に回動されて所定の回動角に達したときに表示面に表示されている文字を所定の回動角に達するまでのサイズよりも大きなサイズに変更する表示制御手段１０２とを備える。【選択図】      図６
2004276324.tif 000002
【特許請求の範囲】
【請求項１】
記録紙に画像を形成する画像形成部を備えた画像形成装置であって、上面において横臥した状態から起立した状態になるように回動可能に取り付けられた画像表示部と、この画像表示部の回動角を検出する角度検出手段と、前記画像表示部の表示面に前記画像の形成に関連する文字を表示すると共に、前記画像表示部が起立する方向に回動されて所定の回動角に達したときに前記表示面に表示されている文字を前記所定の回動角に達するまでのサイズよりも大きなサイズに変更する表示制御手段とを備えたことを特徴とする画像形成装置。
【請求項２】
前記表示制御手段は、前記画像表示部の回動角が大きくなるのに対応して前記表示面に表示されている文字を順次大きなサイズに変更するものであることを特徴とする請求項１記載の画像形成装置。
【請求項３】
前記画像表示部は、その表示面に前記画像の形成に関連するメッセージを表示するメッセージ表示領域が設けられたものであり、前記表示制御手段は、前記メッセージ表示領域に文字からなるメッセージを表示するものであることを特徴とする請求項１又は２記載の画像形成装置。
【請求項４】
前記画像表示部は、その表示面の前記メッセージ表示領域とは異なる個所に、前記画像形成部の動作条件を設定するための条件設定部を表示する条件設定領域が設けられたものであることを特徴とする請求項３記載の画像形成装置。
【発明の詳細な説明】
【０００１】
【発明の属する技術分野】
本発明は、複写機、プリンタ、ファクシミリ装置、それらの機能を併せ持つ複合機等の画像形成装置に関する。
【０００２】
【従来の技術】
一般に、記録紙に画像を記録する画像形成部を備えた複写機やプリンタなどの画像形成装置では、上面に液晶ディスプレイなどからなる画像表示部、テンキー、スタートキーなどを備えた操作部が配設されている。この操作部における画像表示部の表示面には、コピー可否の状態、操作の指示、警告などの画像の形成に関連するメッセージを表示するメッセージ表示領域と、画像濃度や用紙サイズなどの画像の形成に関連する条件設定を行う条件設定領域とを備えている。
【０００３】
このように構成された画像形成装置が複写機である場合、複写動作可能な状態にあるときには、画像表示部のメッセージ表示領域に「コピーできます」などのメッセージが表示され、例えば用紙切れで複写動作不能の状態になっているときには「用紙を補給してください」などのメッセージが表示される。
【０００４】
このため、オペレータはメッセージ表示領域を視認して複写動作可能な状態にある場合に、原稿を所定の原稿載置部にセットし、画像表示部の条件設定領域を指でタッチすることで画像濃度や記録紙サイズなどの条件設定を行うと共に、テンキーで複写部数を設定し、その後にスタートキーを操作して複写動作を実行させることになる（例えば、特許文献１参照）。
【０００５】
【特許文献１】
特開平７−２５４９５４号公報（第３頁、図１）
【０００６】
【発明が解決しようとする課題】
ところが、上記従来の画像形成装置では、オペレータが健常者であることを前提にして操作部などの高さが設定されているため、オペレータが例えば車椅子を利用した身障者である場合には、目の位置が低いことから画像表示部の表示面が見えなかったり、表示面が見えたとしてもオペレータと画像表示部との距離が健常者の場合よりも離反していることからメッセージなどの文字が読み取り難くなったりするという問題があった。
【０００７】
本発明は、このような事情に鑑みてなされたもので、オペレータの目の位置が低く、しかも画像表示部との距離が離れている場合でも表示面に表示される文字を容易に視認することができる画像形成装置を提供することを目的とする。
【０００８】
【課題を解決するための手段】
上記目的を達成するため、請求項１の発明は、記録紙に画像を形成する画像形成部を備えた画像形成装置であって、上面において横臥した状態から起立した状態になるように回動可能に取り付けられた画像表示部と、この画像表示部の回動角を検出する角度検出手段と、前記画像表示部の表示面に前記画像の形成に関連する文字を表示すると共に、前記画像表示部が起立する方向に回動されて所定の回動角に達したときに前記表示面に表示されている文字を前記所定の回動角に達するまでのサイズよりも大きなサイズに変更する表示制御手段とを備えたことを特徴としている。
【０００９】
この構成によれば、画像表示部が起立する方向に回動されて所定の回動角に達したときに表示面に表示されている文字がそれまでよりも大きなサイズに変更される。このため、オペレータの目の位置が低く、しかも画像表示部との距離が離れている場合でも表示面に表示される文字を容易に視認することができるようになる。
【００１０】
また、請求項２の発明は、請求項１に係るものにおいて、前記表示制御手段が、前記画像表示部の回動角が大きくなるのに対応して前記表示面に表示されている文字を順次大きなサイズに変更するものであることを特徴としている。
【００１１】
この構成によれば、画像表示部の回動角が大きくなるのに対応して表示面に表示されている文字が順次大きなサイズに変更される。このため、オペレータの目の位置に応じて画像表示部の回動角を変えるようにすることができ、しかも回動角に対応して文字が大きなサイズに変更されるので、画像表示部との距離が離れている場合でも表示面に表示される文字を容易に視認することができるようになる。
【００１２】
また、請求項３の発明は、請求項１又は２に係るものにおいて、前記画像表示部が、その表示面に前記画像の形成に関連するメッセージを表示するメッセージ表示領域が設けられたものであり、前記表示制御手段が、前記メッセージ表示領域に文字からなるメッセージを表示するものであることを特徴としている。
【００１３】
この構成によれば、画像表示部が起立する方向に回動されることで表示面に表示されているメッセージの文字がそれまでよりも大きなサイズに変更される。このため、オペレータの目の位置が低く、しかも画像表示部との距離が離れている場合でも表示面に表示されるメッセージを容易に視認することができるようになる。
【００１４】
また、請求項４の発明は、請求項３に係るものにおいて、前記画像表示部が、その表示面の前記メッセージ表示領域とは異なる個所に、前記画像形成部の動作条件を設定するための条件設定部を表示する条件設定領域が設けられたものであることを特徴としている。
【００１５】
この構成によれば、画像表示部のメッセージ表示領域とは異なる個所に設けられた条件設定領域に画像濃度や記録紙サイズなどの画像形成部の動作条件を設定するための条件設定部が表示される。このため、例えば、画像の形成が可能である旨のメッセージを視認したのちに画像形成部の動作条件を設定することができる結果、設定動作を効率的に行うことができる。
【００１６】
【発明の実施の形態】
図１は、本発明の一実施形態に係る画像形成装置の外観構成を示す図であり、図２は、その内部構成を概略的に示す図である。これらの図において、画像形成装置１０は、複写機を構成するものであり、本体部１２と、本体部１２の上方に配設された原稿給送部１４とを備えている。
【００１７】
本体部１２は、原稿読取部１６と、光学ユニット１８と、感光体ドラム２０を有する画像形成部２２と、定着部２４と、記録紙搬送部２６とを備えている。また、本体部１２の上面手前側の位置に操作部２８が配設され、本体部１２の左方上部に記録紙排出部３０が配設されている。
【００１８】
原稿読取部１６は、本体部１２の頂部に装着された第１のコンタクトガラス３２と、第１のコンタクトガラス３２の左方に配設された第２のコンタクトガラス３４と、左右方向に配設されたガイドレール３６と、ガイドレール３６に沿って左右方向に往復動可能に配設された画像読取手段であるスキャナ３８とを備えている。このスキャナ３８は、通常は第１のコンタクトガラス３２と第２のコンタクトガラス３４との中間位置であるホームポジションに待機するようになっている。
【００１９】
原稿給送部１４は、原稿載置部４０と、原稿排出部４２と、給紙ローラ４４と、搬送ローラ４６を有する原稿搬送部４８とを備えている。この原稿給送部１４は、図中の奥行側端部を回動支点にして第１のコンタクトガラス３２に対して開閉可能に構成されており、第１のコンタクトガラス３２上に載置される原稿の押え部を兼ねた構成となっている。
【００２０】
ここで、スキャナ３８は、第１のコンタクトガラス３２上に原稿が載置されて複写開始指示が与えられると、図略の駆動モータが駆動されることによりホームポジションから原稿の先端位置（図中の右端）にまで移動する。そして、図略の光源が点灯された状態で原稿の先端位置から後端位置（図中の左端）に移動することにより原稿面を走査して１ライン毎に画像の読み取りを行う。この読み取られた画像データは、所定のデータ処理が施された後にデジタル信号に変換され、図略の記憶部に記憶される。
【００２１】
また、スキャナ３８は、原稿載置部４０に原稿が載置されて複写開始指示が与えられると、図略の駆動モータが駆動されることによりホームポジションから第２のコンタクトガラス３４の位置に移動し、原稿が原稿搬送部４２により搬送されて第２のコンタクトガラス３４上を通過するとき、第２のコンタクトガラス３４の位置に静止した状態で原稿画像を１ライン毎に読み取る。この読み取られた画像データは上記と同様にして図略の記憶部に記憶される。
【００２２】
光学ユニット１８は、上記記憶部から読み出された画像データに基づく原稿画像を感光体ドラム２０に露光するもので、その画像データに基づいて生成された変調信号をレーザ光に変換して出力する発光部、この発光部からのレーザ光を感光体ドラム２０に向けて反射する反射ミラー等を備えている。
【００２３】
画像形成部２２は、記録紙に原稿画像を記録（転写）するもので、感光体ドラム２０の周面上部に配設された帯電器、この帯電器の下流側に配設された現像部、この現像部の下流側に配設されたクリーニング部等を有している。感光体ドラム２０は、図略の駆動モータの回転駆動により矢印方向に回転され、帯電器と対向する位置で静電領域が形成され、この静電領域に光学ユニット１８から出力されるレーザ光により静電潜像が形成され、現像部と対向する位置で静電潜像がトナー像に現像される。感光体ドラム２０の対向位置には転写ローラが配設されており、トナー像の形成された感光体ドラム２０は、その転写ローラと対向する位置で記録紙にトナー像を転写し、クリーニング部と対向する位置で表面に残留しているトナーが除去されるようになっている。なお、トナー像が転写された記録紙は定着部２４で加熱されて定着処理が施される。
【００２４】
記録紙搬送部２６は、それぞれサイズの異なる記録紙Ｐが積層されて収納された複数の給紙カセット５２と、給紙カセット５２内の記録紙Ｐを外部に引き出す給紙ローラ５４と、給紙カセット５２から引き出された記録紙Ｐを感光体ドラム２０に導くと共に、感光体ドラム２０でトナー像が形成された記録紙Ｐを定着部２４を経由して記録紙排出部３０に導く記録紙搬送路５６と、記録紙搬送路５６の適所に配設されて記録紙Ｐを下流側に搬送する搬送ローラ５８とを備えている。
【００２５】
操作部２８は、横臥した状態から起立した状態になるように回動可能に取り付けられた液晶ディスプレイなどからなる画像表示部６０、複写部数を設定するテンキー６２、画像表示部６０に表示される文字のサイズを画像表示部６０の回動動作（回動角）に関係なく小さなサイズ（標準サイズ）から大きなサイズ（拡大サイズ）に変更するモードに設定するための文字サイズ変更キー６４、画像表示部６０に表示される文字のサイズを画像表示部６０の回動動作（回動角）に関連して変更するモードに設定するための文字サイズ可変モード設定キー６６、複写動作の開始を指示するスタートキー６８などを備えている。
【００２６】
なお、文字サイズ変更キー６４は、オンのときに画像表示部６０に表示される文字を画像表示部６０の回動動作（回動角）に関係なく大きなサイズに設定し、オフのときに画像表示部６０の回動動作（回動角）に関係なく小さなサイズに設定するものである。このような文字サイズ変更キー６４が設けられていることにより、画像形成装置１０を視力の弱いオペレータが使用するときなどに好適なものとなる。
【００２７】
また、文字サイズ可変モード設定キー６６は、オンのとき（但し、文字サイズ変更キー６４がオフのとき）に画像表示部６０に表示される文字を、画像表示部６０が横臥した状態から起立する方向に回動されて回動角が所定の角度に達したときに大きなサイズに設定し、オフのとき（但し、文字サイズ変更キー６４もオフのとき）に画像表示部６０の回動角に関係なく小さなサイズに設定するものである。このような文字サイズ可変モード設定キー６６が設けられていることにより、画像形成装置１０を健常者と車椅子を利用した身障者とが共同で使用するときなどに好適なものとなる。
【００２８】
ここで、画像表示部６０は、上記したように本体部１２の上面において横臥した状態から起立した状態になるように本体部１２に対して回動可能に取り付けられたもので、例えば図３に示すように、表示面７０の上段の位置に、画像の形成に関連する種々のメッセージを表示するためのメッセージ表示領域ＭＲが設けられ、このメッセージ表示領域ＭＲの下方に画像濃度、複写倍率、記録紙サイズなどの記録条件を設定するための条件設定領域ＪＲが設けられたものである。
【００２９】
この画像表示部６０のメッセージ表示領域ＭＲには、例えば、「コピーできます」、「用紙を補給してください」、「記録紙が詰まっています」などの種々の画像の形成に関連するメッセージＭＳが文字で表示される。また、条件設定領域ＪＲには、画像濃度、複写倍率、記録紙サイズなどの記録条件を設定するためのタッチパネル方式の条件設定部ＪＳが表示される。すなわち、この条件設定領域ＪＲには、「画像濃度」、「複写倍率」、「記録紙サイズ」などの条件設定ボタンが表示され、これら表示されたボタンを指先で触れることで下位の階層の設定画面に切換表示されるようになっている。例えば、「記録紙サイズ」ボタンを指先で触れると、選択可能な記録紙のサイズボタンが一覧表示され、そのうちの１つのサイズボタンを指先で触れることで記録紙サイズが設定されるようになっている。
【００３０】
図４は、本体部１２の上面における画像表示部６０の取付構造を説明するための要部斜視図であり、同図（ａ）は本体部１２から取り外した画像表示部６０のみを示す図、同図（ｂ）は画像表示部６０を取り外した本体部１２の要部のみを示す図、同図（ｃ）は本体部１２に画像表示部６０が取り付けられた状態を示す図である。すなわち、画像表示部６０は、下端部の互いに対向する側面に突出する一対の支持軸７２が本体部１２に形成された窪み部７４の互いに対向する壁部７６に形成された貫通孔７８に挿通され、窪み部７４内に収納された横臥した第１の状態と画像形成部１０の設置面に対して略直角に起立した第２の状態との間を支持軸７２回りに回動可能となるように支持されている。
【００３１】
ここで、画像表示部６０は、図５に示すように、図示右方の支持軸７２に、本体部１２内に設置されたギアダンパーやトルクリミッタなどの制動力付与部材８０が取り付けられており、画像表示部６０の上端部を把持するなどして回転力を付与すると支持軸７２回りに回動し、回転力の付与を停止するとその位置で静止した状態となる。なお、支持軸７２の周囲における画像表示部６０と窪み部７４の壁部７６との間に板ばねなどの弾性部材を介在させることで制動力付与部材８０を構成することもできる。
【００３２】
一方、図示左方の支持軸７２に、本体部１２内に設置された角度検出手段であるロータリーエンコーダ８２が取り付けられており、画像表示部６０の支持軸７２回りの回動角が検出されるようになっている。
【００３３】
図６は、本発明の実施形態に係る画像形成装置１０の画像表示部６０の回動動作に関連する制御構成を示すブロック図である。この図において、制御部８４は、所定の演算処理を実行するＣＰＵ８６と、所定の処理プログラムやデータなどが記憶されているＲＯＭ８８と、処理データを一時的に記憶するＲＡＭ９０とを備えている。
【００３４】
このＣＰＵ８６には、文字サイズ変更キー６４、文字サイズ可変モード設定キー６６及びロータリーエンコーダ８２が接続されて所定の信号が入力される一方、画像表示部６０が画像駆動回路９２を介して接続されることで画像表示部６０の表示動作が制御される。また、ＣＰＵ８６には、画像表示部６０のメッセージ表示領域ＭＲに表示される文字からなる複数のメッセージが記憶されると共に、条件設定領域ＪＲに表示される条件設定ボタンや下位の階層の設定内容などが記憶された記憶部９４が接続される一方、文字サイズ変更判別部９６、文字サイズ可変モード設定判別部９８、回動角判別部１００及び表示制御部１０２の各機能実現部を備えている。
【００３５】
ここで、文字サイズ変更判別部９６は、文字サイズ変更キー６４がオンになっているか否かを判別するものであり、文字サイズ可変モード設定判別部９８は、文字サイズ可変モード設定キー６６がオンになっているか否かを判別するものである。
【００３６】
また、回動角判別部１００は、画像表示部６０の回動角が予め設定されている所定の回動角（例えば、画像形成装置１０の設置面に対して９０°）よりも大きいか小さいかを判別するものである。すなわち、画像表示部６０が横臥した状態から起立する方向に回動されるときには、所定の回動角に達したか否かを判別し、画像表示部６０が起立した状態から横臥する方向に回動されるときには、所定の回動角に満たない角度になったか否かを判別する。
【００３７】
表示制御部１０２は、記憶部９４に記憶されているメッセージや条件設定ボタンなどの画像データを読み出して画像表示部６０のメッセージ表示領域ＭＲ及び条件設定領域ＪＲに表示するものである。なお、表示制御部１０２には、画像表示部６０に表示する文字サイズを設定変更するための文字サイズ設定変更部としての機能実現部を備えている。
【００３８】
この表示制御部１０２は、文字サイズ変更キー６４がオンになっている場合、画像表示部６０のメッセージ表示領域ＭＲに表示されるメッセージを小さな文字サイズ（例えば、１５ポイント）から大きな文字サイズ（例えば、３０ポイント）に変更して表示する。なお、本実施形態では、文字サイズ変更キー６４のオン・オフに関係なく、条件設定領域ＪＲに表示される条件設定ボタンなどは常に標準の文字サイズ（例えば、１５ポイント）で表示される。
【００３９】
また、表示制御部１０２は、文字サイズ変更キー６４がオフになっており、しかも文字サイズ可変モード設定キー６６がオンになっている場合、画像表示部６０がオペレータにより横臥した状態から起立する方向に回動されて所定の回動角に達したときに、画像表示部６０のメッセージ表示領域ＭＲに表示されるメッセージを所定の回動角に達していないときの文字サイズ（例えば、１５ポイント）よりも大きな文字サイズ（例えば、３０ポイント）に変更して表示する。
【００４０】
なお、表示制御部１０２は、画像表示部６０が所定の回動角を超えた場合にもメッセージを大きな文字サイズに保持する一方、画像表示部６０が起立した状態から横臥する方向に回動されて所定の回動角に満たない状態になったときには、元の小さな文字サイズに変更して表示する。また、文字サイズ変更キー６４は、制御部８４と共に文字サイズ変更手段を構成し、文字サイズ可変モード設定キー６６は、制御部８４と共に文字サイズ可変モード設定手段を構成する。
【００４１】
図７は、画像表示部６０がオペレータにより横臥した状態から起立する方向に回動される場合の動作を説明するためのフローチャートである。まず、電源が投入されて複写可能な状態になったときに、文字サイズ変更キー６４がオンになっているか否かが文字サイズ変更判別部９６により判別される（ステップＳ１）。このステップＳ１での判別が否定されると、画像表示部６０が所定の回動角（例えば、画像形成装置１０の設置面に対して９０°）に達したか否かが回動角判別部１００により判別される（ステップＳ３）。
【００４２】
そして、ステップＳ３での判別が否定されると、図８（ａ）に示すように、表示制御部１０２により、画像表示部６０の表示面７０におけるメッセージ表示領域ＭＲに所定のメッセージ（例えば、「コピーできます」）が小さな文字サイズで表示され（ステップＳ５）、ステップＳ１以降の処理が継続される。
【００４３】
一方、ステップＳ３での判別が肯定されると、文字サイズ可変モード設定キー６６がオンになっているか否かが文字サイズ可変モード設定判別部９８により判別される（ステップＳ７）。そして、このステップＳ７での判別が肯定されると、図８（ｂ）に示すように、表示制御部１０２により、画像表示部６０の表示面７０におけるメッセージ表示領域ＭＲに所定のメッセージ（例えば、「コピーできます」）が大きな文字サイズで表示される（ステップＳ９）。すなわち、画像表示部６０が所定の回動角に達することにより、今まで標準サイズの小さな文字で表示されていたメッセージが拡大サイズの大きな文字に変更される。
【００４４】
また、ステップＳ７での判別が否定されると、図８（ａ）に示すように、表示制御部１０２により、画像表示部６０のメッセージ表示領域ＭＲに所定のメッセージ（例えば、「コピーできます」）が小さな文字サイズで表示される（ステップＳ１１）。すなわち、画像表示部６０がオペレータにより回動されても、回動角には関係なく所定のメッセージが常に小さな文字サイズで表示される。
【００４５】
なお、ステップＳ１での判別が肯定されたときは、画像表示部６０の回動角に関係なく、画像表示部６０のメッセージ表示領域ＭＲに所定のメッセージが大きな文字サイズで表示されることになる。
【００４６】
図９は、画像表示部６０がオペレータにより起立した状態から横臥する方向に回動される場合の動作を説明するためのフローチャートである。まず、文字サイズ変更キー６４がオンになっているか否かが文字サイズ変更判別部９６により判別される（ステップＳ２１）。このステップＳ２１での判別が否定されると、画像表示部６０が所定の回動角に満たない角度（例えば、画像形成装置１０の設置面に対して９０°未満）になったか否かが回動角判別部１００により判別される（ステップＳ２３）。
【００４７】
そして、ステップＳ２３での判別が否定されると、大きな文字サイズに設定されたままとなり、図８（ｂ）に示すように、表示制御部１０２により、画像表示部６０のメッセージ表示領域ＭＲに所定のメッセージ（例えば、「コピーできます」）が大きな文字サイズで表示され（ステップＳ２５）、ステップＳ２１以降の処理が継続される。すなわち、今まで表示されていた文字サイズのままとなる。
【００４８】
一方、ステップＳ２３での判別が肯定されると、文字サイズ可変モード設定キー６６がオンになっているか否かが文字サイズ可変モード設定判別部９８により判別される（ステップＳ２７）。そして、ステップＳ２７での判別が肯定されると、図８（ａ）に示すように、表示制御部１０２により、画像表示部６０のメッセージ表示領域ＭＲに所定のメッセージ（例えば、「コピーできます」）が小さな文字サイズで表示される（ステップＳ２９）。すなわち、画像表示部６０が所定の回動角に満たない角度になることにより、今まで拡大サイズの大きな文字で表示されていたメッセージが標準サイズの小さな文字に変更される。
【００４９】
また、ステップＳ２７での判別が否定されると、図８（ｂ）に示すように、画像表示部６０のメッセージ表示領域ＭＲに所定のメッセージ（例えば、「コピーできます」）が大きな文字サイズで表示されたままとなる（ステップＳ３１）。すなわち、画像表示部６０がオペレータにより回動されても、回動角には関係なく所定のメッセージが常に大きな文字サイズで表示される。
【００５０】
なお、ステップＳ２１での判別が肯定されたときは、画像表示部６０の回動角に関係なく、メッセージ表示領域ＭＲに所定のメッセージが大きな文字サイズで表示されることになる。
【００５１】
本発明の画像形成装置１０は、上記実施形態のように、画像の形成に関連する文字が表示される画像表示部６０を横臥した状態から起立した方向に回動させて所定の回動角（例えば、画像形成装置１０の設置面に対して９０°）に達したときに画像表示部６０の表示面７０に表示されている文字をそれまでのサイズよりも大きなサイズに変更するようにしているので、オペレータの目の位置が低く、しかも画像表示部６０との距離が離れている場合でも、画像表示部６０の表示面７０がオペレータの目と対向する位置に近づくと共に、文字が拡大されることから、画像表示部６０の表示面７０に表示されている文字を容易に視認することができるようになる。
【００５２】
なお、本発明は上記実施形態のものに限定されるものではなく、次に述べるような種々の変形態様を必要に応じて採用することができる。
【００５３】
（１）上記実施形態では、画像表示部６０の回動角をロータリーエンコーダ８２により検出するようにしているが、これに限るものではない。例えば、画像表示部６０の回動角が所定の値（例えば、画像形成装置１０の設置面に対して９０°）を境にしてマイクロスイッチや光スイッチなどのスイッチ手段のオン・オフ動作が切り換わるようにすることで検出するようにすることも可能である。この場合、スイッチ手段がロータリーエンコーダ８２と同様の角度検出手段を構成することになる。
【００５４】
（２）上記実施形態では、画像表示部６０が横臥した状態から起立する方向に回動され、その回動角が画像形成装置１０の設置面に対して例えば９０°に達したときに、画像形成装置１０のメッセージ表示領域ＭＲに表示されている文字が小さなサイズから大きなサイズに変更されるようにしているが、これに限るものではない。例えば、画像表示部６０の回動角が画像形成装置１０の設置面に対して４５°に達したときや、６０°に達したときなどにメッセージ表示領域ＭＲに表示されている文字を小さなサイズから大きなサイズに変更するようにすることもできる。要は、画像形成装置１０における画像表示部６０の高さ方向の位置とオペレータの目の位置とを勘案し、少なくとも画像表示部６０がオペレータの見やすい位置になる角度に達したときに文字のサイズを変更するようにすればよい。
【００５５】
（３）上記実施形態では、画像表示部６０の表示面７０に表示されるメッセージの文字サイズを変更するようにしているが、これに限るものではない。例えば、条件設定領域ＪＲに表示される条件設定部ＪＳの文字サイズも同時に変更するようにすることも可能である。また、画像表示部６０の表示面７０に表示される文字は、上記実施形態のメッセージや条件設定部を表わすものに限るものではなく、画像表示部６０の設置目的に沿ったものであれば如何なる内容のものであってもよい。さらに、文字はひらがな、漢字、アルファベットなどに限るものではなく、絵文字であってもよい。
【００５６】
（４）上記実施形態では、操作部６０に文字サイズ変更キー６４と文字サイズ可変設定キー６６とが配設されているが、これに限るものではない。例えば、画像表示部６０の回動角に関係なく大きな文字サイズで表示するモードを必要としない場合には、文字サイズ変更キー６４を設ける必要はない。また、文字サイズ変更キー６４及び文字サイズ可変設定キー６６を設けないようにすることもできる。この場合では、画像表示部６０の回動角に応じて文字サイズが変更されるモードに常に設定されるようにしておけばよい。
【００５７】
（５）上記実施形態では、画像形成装置１０は複写機を構成するものであるが、これに限るものではない。例えば、プリンターやファクシミリ装置であってもよく、それらの機能を併せ持つ複合機であってもよい。また、複写機の場合では、モノクロ複写機であってもカラー複写機であってもよい。
【００５８】
【発明の効果】
以上説明したように、本発明の画像形成装置は、上面において横臥した状態から起立した状態になるように回動可能に取り付けられた画像表示部と、画像表示部の回動角を検出する角度検出手段と、画像表示部の表示面に画像の形成に関連する文字を表示すると共に、画像表示部が起立する方向に回動されて所定の回動角に達したときに表示面に表示されている文字を所定の回動角に達するまでのサイズよりも大きなサイズに変更する表示制御手段とを備えているので、オペレータの目の位置が低く、しかも画像表示部との距離が離れている場合でもオペレータは表示面に表示される文字を容易に視認することができるようになる。
【図面の簡単な説明】
【図１】本発明の一実施形態に係る画像形成装置の外観斜視図である。
【図２】画像形成装置の内部構成図である。
【図３】画像表示部の表示面を示す図である。
【図４】画像表示部の取付構造を説明するための図であり、（ａ）は画像表示部のみを示す図、（ｂ）は画像表示部が取り付けられる本体部の要部のみを示す図、（ｃ）は本体部に画像表示部を取り付けた状態を示す図である。
【図５】制動力付与部材とロータリーエンコーダとを取り付けた状態の画像表示部を示す図である。
【図６】画像表示部の回動動作に関連する制御構成を示すブロック図である。
【図７】画像表示部の回動動作を説明するためのフローチャートである。
【図８】画像表示部の表示面を示す図であり、（ａ）はメッセージを小さな文字サイズで表示した場合の図、（ｂ）メッセージを大きな文字サイズで表示した場合の図である。
【図９】画像表示部の回動動作を説明するためのフローチャートである。
【符号の説明】
１０  画像形成装置
２２  画像形成部
２８  操作部
６０  画像表示部
６２  テンキー
６４  文字サイズ変更キー
６６  文字サイズ可変モード設定キー
６８  スタートキー
７０  表示面
８２  ロータリーエンコーダ（角度検出手段）
９６  文字サイズ変更判別部
９８  文字サイズ可変モード設定判別部
１００  回動角判別部
１０２  表示制御部
ＭＲ  メッセージ表示領域
ＪＲ  条件設定領域
【図１】
2004276324.tif 000003
【図２】
2004276324.tif 000004
【図３】
2004276324.tif 000005
【図４】
2004276324.tif 000006
【図５】
2004276324.tif 000007
【図６】
2004276324.tif 000008
【図７】
2004276324.tif 000009
【図８】
2004276324.tif 000010
【図９】
2004276324.tif 000011